(57)【特許請求の範囲】
【請求項１】
長さ調整可能な連結バー（１８）によって後部フレーム（１２Ｂ）に連結された前部フレーム（１２Ａ）を有し、該前部フレーム（１２Ａ）と後部フレーム（１２Ｂ）はそれぞれ固定歯（１４）を有する金属補強具（１２）と、
前記前部フレーム（１２Ａ）と後部フレーム（１２Ｂ）にそれぞれ配設された第１の締結要素（２０）と第２の締結要素（２６）を介して靴のソール（１６）に前記金属補強具（１２）を固定するための締結器具（３０）と、
前記金属補強具（１２）の側方に延在する前記締結器具（３０）を作動させるための側方操作レバー（３２）と、
前記第２の締結要素（２６）の第１の端部（５０）を受け入れ、前記側方操作レバー（３２）が枢動したときに、前記側方操作レバー（３２）と協働して前記登山用アイスアイゼンを前記ソール（１６）に係止または解除させるためのトグル継手を構成する関節手段と、を有し、
前記関節手段は中間ロッド（７０）によって構成され、前記第２の締結要素（２６）と側方操作レバー（３２）は前記中間ロッド（７０）上でヒンジ連結され、前記中間ロッド（７０）は軸（７２）の周りで枢動するように後部フレーム（１２Ｂ）に連結されている、登山用アイスアイゼン。
【請求項２】
前記関節手段は、肘形状の操作レバー（３２）の延長部（５４）によって支持された回転受け具（５２）によって形成され、前記トグル継手は、係止方向に中立位置を横切ることにより前記操作レバー（３２）の安定位置を確保する、請求項１記載の登山用アイスアイゼン。
【請求項３】
前記操作レバー（３２）は関節軸（５６）を有し、前記関節軸（５６）は前記第２の締結要素（２６）の長手方向の調節を可能にするように、第１のラック（４６）内に収納されている、請求項１記載の登山用アイスアイゼン。
【請求項４】
前記第２の締結要素（２６）は、前記操作レバー（３２）の反対側に位置する第２のラック（４６）に直接取り付けられている第２の端部（４８）を有している、請求項３記載の登山用アイスアイゼン。
【請求項５】
前記第１と第２のラック（４６）は前記金属補強具（１２）の長手方向中間平面に対して対称に配置されている、請求項４記載の登山用アイスアイゼン。
【請求項６】
前記操作レバー（３２）は、後部フレーム（１２Ｂ）に格納されている、請求項１記載の登山用アイスアイゼン。
【請求項７】
前記第２の締結要素（２０）は、安全ベルト（３４）を引っ掛ける２つのバックル（６０）を有する鐙形金具（stirrup）からの構成されている、請求項６記載の登山用アイスアイゼン。
【請求項８】
前記操作レバーは、係止位置においてバックル（６０）のうちの一つに差し込まれる掴み端部を有している、請求項７記載の登山用アイスアイゼン。
【請求項９】
前記操作レバー（３２）は、前記トグル継手を解除するために該トグル継手の中立点を横切るように操作される解除リング（６２）を有している、請求項８記載の登山用アイスアイゼン。
【発明の詳細な説明】
【０００１】
【発明の属する技術分野】
本発明は、固定歯付き金属補強具及び補強具の前部及び後部にそれぞれ配置された第１の締結要素及び第２の締結要素を介して靴のソールに補強具を連結するための連結器具を有する登山用アイス（雪山用）アイゼンに関する。
【０００２】
【技術の現状】
公知のアイスアイゼン用締結器具は、一般に、靴の前部のところに設けられた第１のスターラップ（鐙）及び靴の後部のところで突出した回動式踵又はヒール部品に沿って設けられた係止カムシステムを使用している。踵部品は、長さが調整できる側方アームを備えた第２のスターラップによって支持されている。かかる器具は、比較的重く且つ取扱いが厄介である。
【０００３】
【発明の目的】
本発明の目的は、分解しなくても調整でき、しかも係止又は解除操作が容易な軽量の締結器具を備えるアイス（雪山用）アイゼンを提供することにある。
【０００４】
【発明の構成】
本発明のアイスアイゼンは、締結器具が、側方操作レバー及びアイスアイゼンをソール上でレバーの回動方向に沿って係止し又は解除するトグル継手を構成するために、第１又は第２の締結要素の端部を受け入れる手段を有していることを特徴とする。
【０００５】
本発明の特徴によれば、第１又は第２の締結要素を受け入れる手段は、操作レバーの延長部によって支持された回転受け具によって形成される。操作レバーは、肘の形又はＬ字形をしており、延長部に対して角度的にずれた掴みアームで構成されている。
【０００６】
好ましい実施形態によれば、受入れ手段は、軸の回りに回動するよう設けられていて、操作レバーの関節部材として働く中間ロッドによって形成されている。
【０００７】
補強具は、靴のサイズに対して長さ調整可能な連結バーによって後部フレームに連結された前部フレームで構成されている。締結要素の長手方向調整を可能にする第１のラック内に操作レバーの関節軸を収納するのがよい。締結要素の他端部は、操作レバーと反対側の側部に位置した第２のラック内に直に嵌め込まれている。両方のラックは、補強具の長手方向中間平面に対して対称に配置されている。
【０００８】
本発明の別の特徴によれば、第２の締結要素は、安全ベルトを引っ掛ける２つのバックルから成る金属スターラップで構成されている。操作レバーの掴み端部は、係止位置においてバックルのうちの一方の中へ入り込むよう配置されている。操作レバーを解除するリングが、操作レバーを解除するために稼働状態になってトグル継手の中立点を横切る。
【０００９】
本発明の他の利点及び特徴は、例示目的で与えられていて、添付の図面に示された本発明の実施形態（これには限定されない）についての以下の説明を参照すると一層明らかになろう。
【００１０】
【好ましい実施形態の説明】
図１を参照すると、登山用のアイスアイゼン１０は、複数の垂直方向固定歯を備えた金属製補強具１２を有し、固定歯の目的は、氷又は硬くなった雪に食い込んで氷で覆われた地域上を安全に進むことができるようにすることにある。補強具１２は、登山用靴１７のソール１６の下に設けられていて、連結バー１８により後部フレーム１２Ｂに連結された前部フレーム１２Ａで構成されており、連結バーは、靴のサイズに対して長さが調整可能である。
【００１１】
補強具１２の前部フレーム１２Ａは、ソール１６の前部リム２２で支持されたスターラップの形態をしている第１の締結要素３０を備えている。スターラップ２０は、鋼線をＵ字形にしたものであり、その反対側の端部は、横軸２４の回りにトグル作用を発揮するよう取り付けられている。また、スターラップ２０に代えて靴の前部を覆うベルト付きのストップ又は停止装置を用いてもよい。
【００１２】
補強具１２の後部フレーム１２Ｂは、ソール１６の踵部分の後部リム２８内に嵌まり込む第２の締結要素２６を備えていえる。第２の締結要素２６は、例示として挙げると金属製スターラップから成る。
【００１３】
側方操作レバー３２を備えた締結器具３０が、前部フレーム１２Ａの第１のスターラップ２０に対する第２の締結スターラップ２６の長手方向変位に応じて靴１７の踵部分をアイスアイゼン１０に係止したり解除するための第２の締結スターラップ２６と関連している。安全ベルト３４が、保持システム３６により靴１７のステムを包囲するよう第２の締結スターラップ２６と一体になっている。
【００１４】
図２〜図５を参照すると、補強具１２の後部フレーム１２Ｂは、ソール１６の支承面３８を有し、この表面の中央部分には開口部４０が設けられている。後部フレーム１２Ｂの横方向枝部４３の折曲げ延長部４２が、連結バー１８を挿通させる矩形のオリフィス４４を備えている。
【００１５】
後部フレーム１２Ｂの本体のいずれの側にも、数個の切欠きを備えたラック４６が設けられており、切欠きは、締結器具３０の調整のために長手方向に沿って分布して設けられている。
【００１６】
第２の締結スターラップ２６の端部４８のうち一方は、操作レバー３２の反対側の側部でラック４６に直接嵌まり込んでいる。締結スターラップ２６の他方の端部５０は、操作レバー３２の肘の形をした又はＬ字形の延長部５４を中心として自由に回転するよう設けられた受け具５２を貫通している。操作レバー３２の関節軸５６は、対応関係にあるラック４６に挿入されていて、延長部５４によって支持された回転受け具５２に対してずれている。締結スターラップ２６の各端部４８，５０は、平らな表面５８を有しており（図５の端部４８上に見える）、その幅は、ラック４６に設けられた調整穴の直径よりも大きい。
【００１７】
締結スターラップ２６は、安全ベルト３４を引っ掛けるために用いられる２つのバックル６０を更に有している。
【００１８】
肘の形をした操作レバー３２は、第２の締結スターラップ２６の側部と協働してトグル継手を構成している。
【００１９】
締結器具３０を解除すると（図３及び図４）、トグル継手は、解除位置を占め、操作レバー３２は、軸５６によってラック４６にヒンジ留めされた状態のままで前方に傾けられ、この軸５６は、締結スターラップ２６の側部の上方に配置される。
【００２０】
締結器具３０を係止状態（図１及び図２）に変えるには、側方操作レバー３２を図４に矢印Ｆ１で示すように時計回りに回動させる。受け具５２を軸５６を中心とした円弧を描きながら同一方向に動かす。第２の締結スターラップ２６を前方並進状態（矢印Ｆ２）で引っ張る。その目的は、ソール１６の踵部分の後部リム２８をできるだけ強く締め付けることにある。この変位中、トグル継手は、軸５６が締結スターラップ２６の側部の下を通過するときに中立位置を横切る。
【００２１】
トグル継手が設けられていることにより、操作レバー３２のこの係止位置は完全に安定したものになる。操作レバー３２の掴み端部は、不用意な解除を阻止するためにスターラップ２６のバックル６０のうちの一方の中に更に入り込む。
【００２２】
締結器具３０を解除状態に変えるには、操作レバー３２のリング６２を矢印Ｆ３（図２）の方向に引っ張る。この手順は、係止手順と逆であり、操作レバー３２は、第２の締結スターラップ２６の後方並進（矢印Ｆ４）を生じながら図３の位置に戻る。この場合、靴の踵部分２８を解除するのに十分な隙間が得られる。
【００２３】
図６及び図７を参照すると、後部フレーム２８Ｂの本体内に両方のラック４６が対称に配置されているので、締結スターラップ２６及び締結器具３０で構成された組立体が幾つかの位置相互間で並進できる。この調整方式では、分解は不要でありながら、レバー３２及びスターラップ２６は完全に前方に傾けられる。平らな表面５８とラック４６の長手方向スロットを嵌め合わせることにより、予め設定された調整位置への並進が可能になる。この長手方向位置は、スターラップ２６を後方へ戻した後でも安定なままである。
【００２４】
後部フレーム１２Ｂに対する第２の締結スターラップ２６の長手方向位置決め状態を調節するために、対称関係にある両方のラック４６に代えて任意他の調節手段を用いることができる。
【００２５】
上述のトグル継手型締結器具３０を、締結器具３０のラック調整システムを用いないで使用できることは明らかである。したがって、靴のサイズに対する連結バー１８の長さ調整が可能なままである。
【００２６】
図８及び図９の変形例では、トグル継手型締結機構３０は、中間ロッド７０で構成されており、この中間ロッド７０には、締結スターラップ２６及び操作レバー３２がヒンジ留めされている。ロッド７０は、フレーム１２Ｂと一体のタブの軸７２を中心として回動するよう設けられている。
【００２７】
なお、後部フレーム１２Ｂにトグル継手型締結器具３０を組み付けず、変形例として、かかる器具を前部フレーム１２Ａに組み付けることができ、この場合、逆の構成にすればよい。
【００２８】
別の変形例によれば、第２の操作レバー（図示せず）を補強具に対称に取り付けてもよい。その目的は、２重側方レバーを備えた機構を構成することにある。
【図面の簡単な説明】
【図１】靴のソールの下に取り付けられたアイスアイゼンの側面図である。
【図２】アイスアイゼンの後部フレームの斜視図であり、締結器具の操作レバーが係止位置にある状態を示す図である。
【図３】アイスアイゼンの後部フレームの斜視図であり、締結器具の操作レバーが解除位置にある状態を示す図である。
【図４】図３の側面図である。
【図５】後部フレーム及び締結器具の分解斜視図である。
【図６】ラック内での長さ調整段階中の図３と類似した図である。
【図７】ラック内での長さ調整段階中の図４と類似した図である。
【図８】側方操作レバーの解除位置にある後部フレームの実施形態を示す図である。
【図９】側方操作レバーの係止位置にある後部フレームの実施形態を示す図である。
【符号の説明】
１０  アイスアイゼン
１２  金属製補強具
１２Ａ  前部フレーム
１２Ｂ  後部フレーム
１６  ソール
１８  連結バー
２０  締結要素
２６  締結要素
３０  締結器具
３２  側方操作レバー
【図１】
0004115778.tif 000002
【図２】
0004115778.tif 000003
【図３】
0004115778.tif 000004
【図４】
0004115778.tif 000005
【図５】
0004115778.tif 000006
【図６】
0004115778.tif 000007
【図７】
0004115778.tif 000008
【図８】
0004115778.tif 000009
【図９】
0004115778.tif 000010